(57)【要約】【課題】  本発明は、任意の周辺機器と連動可能な低コストで安全な加熱調理器及びそれを含む連動システムを提供する。【解決手段】  本発明の加熱調理器は、加熱部と、外部の機器に制御信号を送信する送信部と、スイッチを有し第１のモード又は第２のモードを選択する命令、送信部を通じて機器を制御する命令及び加熱部を制御する命令を入力可能な入力部と、を有し、第１のモードにおいて、第１のスイッチを押すことにより機器と加熱部とを連動させ、第１のスイッチと同一又は異なるスイッチである第２のスイッチを押すことにより、機器の制御状態と加熱部の制御状態とを変化させ、又は機器の制御状態を変化させることなく加熱部は制御状態を変化させ、第２のモードにおいて、第２のスイッチを押すことにより、加熱部の制御状態を変化させることなく、送信部は機器の制御状態を変化させる命令を送信する。【選択図】    図１
2005197185.tif 000002
【特許請求の範囲】
【請求項１】
被加熱体を加熱する加熱部と、
受信部を有する少なくとも１つの外部の機器に制御信号を送信する送信部と、
１又は複数のスイッチを有し、第１のモード及び第２のモードを含む複数のモードの中から１つのモードを選択する命令、前記送信部を通じて前記機器を制御する命令及び前記加熱部を制御する命令を入力可能な入力部と、
を有し、
前記第１のモードにおいて、第１のスイッチの状態を変化させることにより、前記送信部を通じて前記機器を制御する命令を送信すると共に、前記加熱部にその制御状態を変化させる命令を送り、前記第１のスイッチと同一又は異なるスイッチである第２のスイッチの状態を変化させることにより、前記送信部は前記機器の制御状態を変化させる命令を送信し且つ前記加熱部は制御状態を変化させ、又は前記送信部は前記機器の制御状態を変化させる命令を送信せず且つ前記加熱部は制御状態を変化させ、
前記第２のモードにおいて、前記第２のスイッチの状態を変化させることにより、前記加熱部の制御状態を変化させることなく、前記送信部は前記機器の制御状態を変化させる命令を送信する、
ことを特徴とする加熱調理器。
【請求項２】
前記第２のモードにおいて、前記第２のスイッチの状態を変化させることにより、前記加熱部の制御状態を変化させることなく、複数の前記機器の中から１又は複数の機器を選択する命令が入力され、且つ前記送信部は選択された前記機器の制御状態を変化させる命令を送信し、
前記第１のモードにおいて、前記第１のスイッチの状態を変化させることにより、前記送信部を通じて前記第２のモードにおいて最終的に選択された１又は複数の前記機器を制御する命令を送信すると共に、前記加熱部にその制御状態を変化させる命令を送る、
ことを特徴とする請求項１に記載の加熱調理器。
【請求項３】
前記第２のモードにおいて、前記第２のスイッチの状態を変化させることにより、前記加熱部の制御状態を変化させることなく、前記機器の複数の機能の中から１又は複数の機能を選択する命令が入力され、且つ前記送信部は前記機器の選択された機能を変化させる命令を送信することを特徴とする請求項１又は請求項２に記載の加熱調理器。
【請求項４】
前記第２のモードにおいて、前記第２のスイッチの状態を変化させることにより、前記加熱部の制御状態を変化させることなく、前記機器の複数の送信データフォーマットの中から１つの送信データフォーマットを選択する命令が入力され、且つ前記送信部は前記機器の選択された送信データフォーマットを送信することを特徴とする請求項１から請求項３のいずれかの請求項に記載の加熱調理器。
【請求項５】
前記第１のモードにおいてモード選択専用のスイッチの状態を変化させる、又は、モード選択専用のスイッチを含む複数のスイッチの状態を変化させることにより、複数のモードの中から１つのモードを選択する命令を入力することを特徴とする請求項１から請求項４のいずれかの請求項に記載の加熱調理器。
【請求項６】
前記第１のモードにおいて前記加熱部に加熱を開始させるスイッチ以外のスイッチであって前記加熱部にその制御状態を変化させるスイッチの状態を変化させることにより、複数のモードの中から１つのモードを選択する命令を入力することを特徴とする請求項５に記載の加熱調理器。
【請求項７】
前記第１のモードにおいて前記加熱部に加熱を開始させるスイッチ以外のスイッチであって、それぞれ前記加熱部にその制御状態を変化させるスイッチを含む複数のスイッチの状態を同時に変化させることにより、複数のモードの中から１つのモードを選択する前記命令を入力することを特徴とする請求項６に記載の加熱調理器。
【請求項８】
前記第２のモードにおいて、前記第１のモードにおいて前記加熱部に加熱を開始させる命令を入力するスイッチの状態を変化させても、前記加熱部が加熱を開始しない、又は前記第２のモードにおいて、前記加熱部が加熱することを禁止することを特徴とする請求項１から請求項７のいずれかの請求項に記載の加熱調理器。
【請求項９】
前記第２のモードにおいて、前記第２のスイッチの状態を変化させることにより、前記加熱部の制御状態を変化させることなく、前記送信部は前記機器に動作を開始させる命令を送信することを特徴とする請求項１から請求項８のいずれかの請求項に記載の加熱調理器。
【請求項１０】
前記第２のモードにおいて、前記第２のスイッチの状態を変化させることにより、前記加熱部の制御状態を変化させることなく、前記送信部は前記機器に命令を送信して、前記機器を所定時間だけ動作させることを特徴とする請求項９に記載の加熱調理器。
【請求項１１】
前記第２のモードを終了する時、前記送信部は前記機器に動作を停止させる命令を送信することを特徴とする請求項９に記載の加熱調理器。
【請求項１２】
前記第２のモードを開始する時、前記送信部は前記機器に所定の動作を開始させる命令を送信し、
前記第２のモードにおいて、前記第２のスイッチの状態を変化させることにより、前記加熱部の制御状態を変化させることなく、前記送信部は前記機器に動作を停止させる命令を送信し、又は、
前記第２のモードを開始する時、前記送信部は前記機器に動作を停止させる命令を送信し、
前記第２のモードにおいて、前記第２のスイッチの状態を変化させることにより、前記加熱部の制御状態を変化させることなく、前記送信部は前記機器に動作を開始させる命令を送信することを特徴とする請求項１から請求項８のいずれかの請求項に記載の加熱調理器。
【請求項１３】
前記第２のモードを開始する時、前記送信部は全ての送信データフォーマットで前記機器に動作を開始させる命令、又は、全ての前記機器に共通する停止命令を順次送信することを特徴とする請求項１２に記載の加熱調理器。
【請求項１４】
前記第２のモードになってから所定時間が経過した場合、又は前記第２のモードにおいて所定のスイッチの状態を変化させない状態が所定時間継続した場合、前記第２のモードから前記第１のモードに自動的に変化することを特徴とする請求項１から請求項１３のいずれかの請求項に記載の加熱調理器。
【請求項１５】
前記第１のモードにおいて加熱部の制御状態に関する情報を表示し、前記第２のモードにおいて選択された前記機器の識別情報及び／又は前記機能の識別情報を表示する表示部を更に有することを特徴とする請求項１から請求項１４のいずれかの請求項に記載の加熱調理器。
【請求項１６】
前記第１のモードにおいて前記第１のスイッチを受け付けた時第１の音で報知し、前記第２のモードにおいて前記第２のスイッチを受け付けた時前記第１の音と識別可能な第２の音で報知することを特徴とする請求項１から請求項１５のいずれかの請求項に記載の加熱調理器。
【請求項１７】
前記第２のモードにおいて前記第２のスイッチを受け付けた時選択されたフォーマットに対応させた固有の音で報知することを特徴とする請求項４に記載の加熱調理器。
【請求項１８】
前記第１のモードにおいて加熱部が動作している場合、前記第１のモードから前記第２のモードに変更することを禁止することを特徴とする請求項１から請求項１７のいずれかの請求項に記載の加熱調理器。
【請求項１９】
前記機器の動作をオン及びオフするための専用のスイッチを有することを特徴とする請求項１から請求項４のいずれかの請求項に記載の加熱調理器。
【請求項２０】
前記第２のモードにおいて、前記第２のスイッチの状態を変化させる毎に、複数の前記機器の中から順次且つ循環的に１又は複数の機器が選択され、及び／又は複数の前記機能の中から順次且つ循環的に１又は複数の機能が選択され、及び／又は複数の送信データフォーマットの中から順次且つ循環的に１つの送信データフォーマットが選択されることを特徴とする請求項２から請求項１９のいずれかの請求項に記載の加熱調理器。
【請求項２１】
前記第２のモードにおいて、前記第２のスイッチの状態を変化させると、最初に予め定められた所定の機器及び／又は機能及び／又は送信データフォーマットが選択されることを特徴とする請求項２０に記載の加熱調理器。
【請求項２２】
前記第２のモードにおいて、複数の前記第２のスイッチにそれぞれ異なる１又は複数の前記機器が割り当てられており、１つの前記第２のスイッチの状態を変化させるとそのスイッチに割り当てられた機器が選択されることを特徴とする請求項１から請求項２１のいずれかの請求項に記載の加熱調理器。
【請求項２３】
前記第２のモードにおいて、各々の前記第２のスイッチには同一のメーカが販売している１又は複数の前記機器が割り当てられており、異なる前記第２のスイッチには異なるメーカの前記機器が割り当てられていることを特徴とする請求項２２に記載の加熱調理器。
【請求項２４】
前記第２のモードにおいて、各々の前記第２のスイッチには同一の種類の１又は複数の前記機器が割り当てられており、異なる前記第２のスイッチには異なる種類の前記機器が割り当てられていることを特徴とする請求項２２に記載の加熱調理器。
【請求項２５】
前記入力部は複数のスイッチを有し、
前記第２のモードにおいて、
１つの前記第２のスイッチの状態を変化させる毎に、複数のメーカ又は複数の機器の種類の中から順次１つのメーカ又は１つの機器の種類が選択され、
他の１つの前記第２のスイッチの状態を変化させる毎に、そのメーカ又はその機器の種類に属する複数の前記機器の中から順次１つの機器が選択される、
ことを特徴とする請求項２から請求項２１のいずれかの請求項に記載の加熱調理器。
【請求項２６】
複数の前記機器の制御信号及び／又は選択された前記機器の情報を記憶する不揮発性メモリを有することを特徴とする請求項１から請求項２５のいずれかの請求項に記載された加熱調理器。
【請求項２７】
請求項１から請求項２６のいずれかの請求項に記載された加熱調理器と、前記加熱調理器の前記送信部が送信する制御信号を受信しそれに応じて動作可能な機器と、を有することを特徴とする連動システム。
【請求項２８】
前記機器が表示部及び／又は報知部を有し、
前記第２のモードにおいて、前記加熱調理器の前記第２のスイッチの状態を変化させることにより、前記送信部は、その機器が選択された機器であれば、前記機器の前記表示部に発光させ及び／又は前記報知部に音を発生させる命令であって、前記機器のどの部分も物理的位置の移動を生じることがない命令を送信する、
ことを特徴とする請求項２７に記載の加熱調理器。
【請求項２９】
前記機器が、換気扇、照明器具、エアコンディショナ、給湯器、トースタ、電気オーブン、電子レンジ及びコーヒーメーカの中の１又は複数の機器であることを特徴とする請求項２７又は請求項２８に記載の加熱調理器。
【発明の詳細な説明】
【技術分野】
【０００１】
本発明は、加熱調理器及びそれを含む連動システムに関する。
【背景技術】
【０００２】
一般家庭において、加熱調理器を操作すると、換気扇や加熱調理器等の他の装置がそれに連動して動作する連動システムが普及しつつある。従来例１の加熱調理器が、特開２００３−２２９２４０号公報に開示されている。従来例１の加熱調理器と周辺機器とを含む連動システムを図１を用いて説明する。図１は、加熱調理器と周辺機器とを含む連動システムの構成の概略を示す図である。
【０００３】
図１において、１は加熱調理器、２は外部の機器である換気扇である。加熱調理器１は、トッププレート４、送信部５、加熱部６、制御部７、操作部８を有する。加熱調理器１は、トッププレート４上に置いた鍋３を誘導加熱する。換気扇２は、受信部１１、駆動部（ファン）１２、換気扇制御部１７を有する。明細書及び特許請求の範囲において、「外部の機器」とは、加熱調理器１と別個の筐体に収納された機器を意味する。
【０００４】
トッププレート４は、その上部に被加熱体である鍋３を載置するために設けられており、材質は耐熱強化ガラスからなる。トッププレート４の上面には、鍋３の載置位置を示す表示がプリントされている。
操作部８は入力部１４と表示部１３とを有する。入力部１４は、ユーザが加熱を開始し停止する入力スイッチ、火力の強度等を制御するための入力スイッチ等を含む。表示部１３は、加熱部６が動作しているか否かを表示する可視ＬＥＤ（発光ダイオード）、その火力の強度等を表示する複数の可視ＬＥＤを含む。
【０００５】
制御部７は、加熱部６の状態信号（例えば鍋温度の情報、誘導加熱コイルを流れる電流値等）及びユーザが操作部８に入力した入力信号を受けて、加熱部６に加熱開始、加熱停止、加熱強度レベルの設定等の命令を出力する。加熱部６は、高周波電流制御部と誘導加熱コイルとを備える。高周波電流制御部は、制御部７からの命令に応じて、誘導加熱コイルに高周波電流を流す。誘導加熱コイルは、被加熱体である鍋３を誘導加熱する。これにより、鍋内の被調理物を調理することができる。
制御部７は、現在の加熱部６の状態に応じた制御信号を送信するよう、送信部５に送信命令を出力する。送信部５は、赤外線方式の制御信号を出力する。送信部５は、換気扇２の受信部１１に対して、換気扇２を制御する制御信号を送信する。記憶部１０は、送信部５が出力する制御信号を記憶する。
【０００６】
換気扇２は、加熱調理器と連動して動作する周辺機器である。周辺機器は、加熱調理器１の動作と関連して動作する任意の装置であれば良く、例えば、換気扇、照明器具、エアコン、給湯器等である。
換気扇２は、受信部１１、換気扇制御部１７、ファン１２を有する。受信部１１は、加熱調理器１の送信部５が送信した制御信号を受信する。換気扇制御部１７は、受信部１１が受信した制御信号に応じてファン１２を駆動制御する。
【０００７】
このような構造を有することで、加熱調理器の状態に応じて、換気扇等の周辺機器を効率良く制御することが可能となる。例えば、加熱調理器が稼動中の場合は、換気扇の電源をオンし、換気を行う。また、加熱調理器が停止中の場合は、換気扇の電源をオフし、換気を行わない。また、加熱調理器の火力強度が大きい場合は、換気扇の風力を強くし、より早く換気が行われるようにする。ユーザが加熱調理器のＯＮスイッチを押して加熱部を動作させると同時に換気扇が回りだし、調理中に発生する煙を屋外に排出する。ユーザが加熱調理器のＯＦＦスイッチを押して加熱部を停止させると同時に換気扇が止まり、換気扇が無駄な電力を消費することや、冬季に温かい室内空気が屋外に無駄に排出されて室温が低下することを防止する。
【０００８】
また、特開平９−３０７９６８号公報に、設定変更機能を有する従来例２のリモコン装置が開示されている。設定変更機能を有する従来例２のリモコン装置を図１５に示す。図１５は、設定変更機能を有する従来例２のリモコン装置の構成の概略を示す図である。
【０００９】
図１５において、１５０は設定変更装置、１５８は電気装置である。設定変更装置１５０は、入力部１５１と、制御部１５２と、選択手段１５３と、表示部１５４と、送信部１５５と、送信データ記憶部１５６を有する。電気装置１５８は、受信部１５７を有する。
【００１０】
入力部１５１は、対応する電気装置の動作を制御するための入力スイッチである。
選択手段１５３は、ユーザが複数のモードのうちいずれかを選択するための入力スイッチである。
表示部１５４は、現在選択されているモードや現在の対応する電気装置の情報をユーザに知らしめるために、文字や記号等を出力する画面である。
送信データ記憶部１５６は、複数の異なる電気装置や異なるメーカの電気装置が認識可能な信号形式に準拠した制御信号を各々記憶する。
制御部１５２は、現在選択手段１５３によって選択されているモードや、入力部１５１によって入力されたスイッチに応じて、記憶部１５６から適切な送信データを決定し、送信部１５５に送信命令を出力する。
送信部１５５は、電気装置１５８を制御する制御信号を送信する。
【００１１】
電気装置１５８の受信部１５７は、設定変更装置１５７の送信部１５５が送信した制御信号を受信し、電気装置１５８は制御信号に応じた動作を行う。
【００１２】
例えば、選択手段１５３によって、Ｒ社製ビデオデッキが選択された場合、表示部１５４には、現在Ｒ社製ビデオデッキの操作が可能であることを通知するメッセージが表示される。入力部１５１の所定のスイッチを押すと、制御部１５２は記憶部１５６からＲ社製ビデオデッキが認識可能な送信データを選び、入力されたスイッチに応じて送信部１５５から制御信号（例えば再生命令）を送信する。
Ｒ社製ビデオデッキの受信部１５７は、設定変更装置１５０の送信部１５５から出力された制御信号を受信し、Ｒ社製ビデオデッキは制御信号に応じて動作する。
【００１３】
このような構造を有することで、最小限のスイッチ数で多種の異なる電気装置に対して動作制御を行うことができる。
【特許文献１】特開平９−３０７９６８号公報
【特許文献２】特開２００３−２２９２４０号公報
【発明の開示】
【発明が解決しようとする課題】
【００１４】
しかしながら、従来例の連動システムにおいては、連動システムを設置時（又は換気扇等の外部の機器を交換時）に、ユーザが加熱調理器を操作した時加熱調理器が同時に外部の機器を制御する適切な送信データを送信するように、加熱調理器の回路基板を適切な回路基板に交換する必要があった。ユーザが換気扇等の外部の周辺機器を買い換える度に、ユーザや業者に回路基板交換のための余分な手間と費用を負担させるものであった。
【００１５】
従来例１の連動システムに従来例２の設定変更機能を設けることが考えられる。例えば加熱調理器に複数の機器の切り換えスイッチを設け、ユーザが特定の機器を選択出来るようにする。しかし、加熱調理器に例えば選択された機器の機種名を表示する表示部（例えば大画面の液晶表示装置）を設けることは、加熱調理器のコストを大幅に上昇させる故に好ましくない。そこでユーザは、複数の機器の切り換えスイッチを切り換える毎に、加熱調理器のＯＮスイッチを押して加熱部を動作させると同時に選択された機器が実際に動作するか否かを見る。もし加熱部を動作させると同時に所望の機器（例えば換気扇）が動作を開始すれば、適切な機器が選択されたことになる。もし加熱部を動作させると同時に所望の機器が動作を開始しなければ、機器の選択が正しくないことになる。ユーザは、他の機器を選択して上記の動作確認を繰り返す。しかし、この連動システムにおいては、送信データの設定変更又は動作確認が加熱調理器の加熱部の加熱動作を伴うため、安全上好ましくなかった。
【００１６】
本発明は、上記課題を解決し、例えば外部の周辺機器を取り替えた場合、加熱調理器と外部機器との連動を、ユーザが加熱調理器の加熱部を動作させることなく確認し、且つ実使用においては加熱調理器の操作に応じて外部機器が連動する加熱調理器及びそれを含む連動システムを提供することを目的とする。
本発明は、例えば外部の周辺機器を取り替えた場合、加熱調理器の回路基板の交換を必要としないでユーザが任意の外部の機器を選択でき、加熱調理器と選択された機器とを連動させる、低コストで安全な加熱調理器及びそれを含む連動システムを提供することを目的とする。
【課題を解決するための手段】
【００１７】
上記問題を解決するために、本発明は以下の構成を有する。請求項１に記載の発明は、被加熱体を加熱する加熱部と、受信部を有する少なくとも１つの外部の機器に制御信号を送信する送信部と、１又は複数のスイッチを有し、第１のモード及び第２のモードを含む複数のモードの中から１つのモードを選択する命令、前記送信部を通じて前記機器を制御する命令及び前記加熱部を制御する命令を入力可能な入力部と、を有し、前記第１のモードにおいて、第１のスイッチの状態を変化させることにより、前記送信部を通じて前記機器を制御する命令を送信すると共に、前記加熱部にその制御状態を変化させる命令を送り、前記第１のスイッチと同一又は異なるスイッチである第２のスイッチの状態を変化させることにより、前記送信部は前記機器の制御状態を変化させる命令を送信し且つ前記加熱部は制御状態を変化させ、又は前記送信部は前記機器の制御状態を変化させる命令を送信せず且つ前記加熱部は制御状態を変化させ、前記第２のモードにおいて、前記第２のスイッチの状態を変化させることにより、前記加熱部の制御状態を変化させることなく、前記送信部は前記機器の制御状態を変化させる命令を送信する、ことを特徴とする加熱調理器である。
【００１８】
本発明においては、例えば外部の周辺機器を取り替えた場合、第２のモードに設定することにより、加熱調理器の加熱部を動作させることなく、加熱調理器と外部機器との連動を確認できる。実使用においては第１のモードに設定して、加熱調理器の操作に応じて外部機器が連動するように出来る。本発明は、加熱調理器と外部機器との連動を、ユーザが加熱調理器の加熱部を動作させることなく確認し、且つ加熱調理器の操作に応じて外部機器が連動する安全な加熱調理器を実現できる。
【００１９】
スイッチは、任意のスイッチであって良い。例えば機械的接点を有するスイッチであっても良く、電子的なスイッチ（例えば静電容量の変化を検知するスイッチ）であっても良い。「スイッチの状態を変化させる」とは、ユーザがスイッチを押す（例えば静電容量型スイッチに接触することを含む。）により、スイッチの電圧レベルが変化したことを検知する素子が反応して機器の制御部へ信号を入力することを意味する。
送信部が外部の機器に制御信号を送信する方法は任意である。例えば、赤外線通信、無線通信又は有線通信である。本発明は、特に一方向の通信方式（典型的には赤外線通信）において有効である。一方向の通信方式においては、加熱調理器において適切な機器が選択されたか否かをユーザが実際に確認する必要がある。本発明は、加熱調理器の加熱部を動作させることなく、ユーザが安全に外部機器の動作を確認することが出来る。
【００２０】
例えば、第１のモードで換気扇をＯＮ／ＯＦＦさせる第１のスイッチと、第２のモードで特定の換気扇を選択するための第２のスイッチとが同一であっても良く、異なっていても良い。
例えば加熱調理器の加熱部ＯＮ／ＯＦＦスイッチが第１のスイッチであって、加熱強度レベルのアップスイッチとダウンスイッチとが第２のスイッチである。他の切り換えスイッチにより第１のモードを選択した場合、ユーザが加熱調理器の加熱部ＯＮ／ＯＦＦスイッチを押して加熱部を動作させた場合、換気扇が同時に動き出す。ユーザが加熱調理器の加熱部ＯＮ／ＯＦＦスイッチをもう一度押して加熱部を停止させた場合、換気扇が同時に停止する。ユーザが加熱強度レベルのアップスイッチ又はダウンスイッチを押すと、換気扇の風力がアップ若しくはダウンする。又は、換気扇の動作は変化しない。他の切り換えスイッチにより第２のモードを選択した場合、ユーザが加熱強度レベルのアップスイッチ又はダウンスイッチを押す度に異なる種類の換気扇（換気扇を制御する命令コードが異なる。）が選択され、送信部は選択された換気扇を動作させる命令を外部機器に送信する。第２のモードにおいては、ユーザが加熱強度レベルのアップスイッチ又はダウンスイッチを押しても、加熱部は加熱動作しない。
【００２１】
例えば加熱調理器の加熱部ＯＮ／ＯＦＦスイッチが第１のスイッチと第２のスイッチとを兼ねる。他の切り換えスイッチにより第１のモードを選択した場合、ユーザが加熱調理器の加熱部ＯＮ／ＯＦＦスイッチを押して加熱部を動作させた場合、換気扇が同時に動き出す。ユーザが加熱調理器の加熱部ＯＮ／ＯＦＦスイッチをもう一度押して加熱部を停止させた場合、換気扇が同時に停止する。他の切り換えスイッチにより第２のモードを選択した場合、ユーザが加熱調理器の加熱部ＯＮ／ＯＦＦスイッチを押す度に異なる種類の換気扇（換気扇を制御する命令コードが異なる。）が選択され、送信部は選択された換気扇を動作させる命令を外部機器に送信する。第２のモードにおいては、ユーザが加熱調理器の加熱部ＯＮ／ＯＦＦスイッチを押しても、加熱部は加熱動作しない。
【００２２】
請求項２に記載の発明は、前記第２のモードにおいて、前記第２のスイッチの状態を変化させることにより、前記加熱部の制御状態を変化させることなく、複数の前記機器の中から１又は複数の機器を選択する命令が入力され、且つ前記送信部は選択された前記機器の制御状態を変化させる命令を送信し、前記第１のモードにおいて、前記第１のスイッチの状態を変化させることにより、前記送信部を通じて前記第２のモードにおいて最終的に選択された１又は複数の前記機器を制御する命令を送信すると共に、前記加熱部にその制御状態を変化させる命令を送る、ことを特徴とする請求項１に記載の加熱調理器である。
【００２３】
本発明は、例えば外部の周辺機器を取り替えた場合、加熱調理器の回路基板の交換を必要としないでユーザが任意の外部の機器を選択でき、加熱調理器と選択された機器とを連動させる、低コストで安全な加熱調理器を実現できる。
ユーザが第２のスイッチを押すことにより、加熱調理器は１つの機器を選択しても良く、複数の機器を選択しても良い。
好ましくは、第１のモードにおいて第２のスイッチを押しても、選択された機器は変更されない。
【００２４】
請求項３に記載の発明は、前記第２のモードにおいて、前記第２のスイッチの状態を変化させることにより、前記加熱部の制御状態を変化させることなく、前記機器の複数の機能の中から１又は複数の機能を選択する命令が入力され、且つ前記送信部は前記機器の選択された機能を変化させる命令を送信することを特徴とする請求項１又は請求項２に記載の加熱調理器である。
【００２５】
本発明は、加熱調理器の回路基板の交換を必要としないでユーザが外部の機器の任意の機能を選択でき、選択された機器が加熱調理器の制御に応じて選択された機能を実行し又は実行を停止する、低コストで安全な加熱調理器を実現する。
複数の機能は、任意の機能を含んで良い。何も機能しないという選択肢を含んでも良い。第１のモードにおいてユーザが第１のスイッチを押すと同時に１つの機器の複数の機能の動作を同時に開始させることを選択できるようにしても良い。複数の機器の１又は複数の機能の中から、任意の複数の機器の任意の１又は複数の機能を同時に選択できる構成であっても良い。
【００２６】
請求項４に記載の発明は、前記第２のモードにおいて、前記第２のスイッチの状態を変化させることにより、前記加熱部の制御状態を変化させることなく、前記機器の複数の送信データフォーマットの中から１つの送信データフォーマットを選択する命令が入力され、且つ前記送信部は前記機器の選択された送信データフォーマットを送信することを特徴とする請求項１から請求項３のいずれかの請求項に記載の加熱調理器である。
【００２７】
例えば、１つの機器の通信データの標準フォーマットがある時に変更され、変更前に販売されていた機器と変更後に販売される機器とで送信データフォーマットが異なる場合がある。又、１つの機器が複数の送信データフォーマットに対応する場合がある。
本発明によれば、加熱調理器の回路基板の交換を必要としないでユーザが送信データフォーマットを選択できる。ユーザが本発明の加熱調理器を操作すると、加熱調理器はその制御に応じて、選択された送信データフォーマットの命令を外部の機器に送信し、機器は所定の機能を実行し又は実行を停止する。これにより、標準フォーマットの変更前の機器も、変更後の機器も、加熱調理器と連動させることが出来る。
【００２８】
例えば加熱調理器が内蔵する赤外線リモートコントローラから、近接して設置した２つの赤外線受信部を備えた機器（例えば２台の換気扇）に命令を送った場合、２台の機器は共に赤外線コードを受信し、動作する。しかし、２台の機器の内いずれか一方のみが赤外線コードを受信して動作するように制御したい場合も有る。このような場合、２つの赤外線受信部を備えた機器を異なる送信データフォーマットに設定する。本発明の加熱調理器において、ユーザが送信データフォーマットを任意に選択することにより、２つの機器の中の選択された一方又は両方の機器が加熱調理器と連動するようにできる。２つの機器の両方を加熱調理器と連動することを選択した場合は、第１のモードにおいて、ユーザが第１のスイッチを押すと、例えば加熱部が動作を開始すると同時に、送信部は２つのフォーマットの通信データを続けて送信する。
「送信データフォーマット」はプロトコル、変調方式を含む広い意味を有する。
【００２９】
請求項５に記載の発明は、前記第１のモードにおいてモード選択専用のスイッチの状態を変化させる、又は、モード選択専用のスイッチを含む複数のスイッチの状態を変化させることにより、複数のモードの中から１つのモードを選択する命令を入力することを特徴とする請求項１から請求項４のいずれかの請求項に記載の加熱調理器である。
これにより、モードを選択できる。
【００３０】
請求項６に記載の発明は、前記第１のモードにおいて前記加熱部に加熱を開始させるスイッチ以外のスイッチであって前記加熱部にその制御状態を変化させるスイッチの状態を変化させることにより、複数のモードの中から１つのモードを選択する命令を入力することを特徴とする請求項５に記載の加熱調理器である。
加熱部に加熱を開始させるスイッチ以外のスイッチを用いてモードを選択できる構成にすることにより、モード選択専用のスイッチが不要となり、且つモードを選択する時にユーザの操作ミスによりユーザの意に反して加熱部が動作を開始することを防止できる。本発明は安全で安価な加熱調理器を実現できる。
【００３１】
請求項７に記載の発明は、前記第１のモードにおいて前記加熱部に加熱を開始させるスイッチ以外のスイッチであって、それぞれ前記加熱部にその制御状態を変化させるスイッチを含む複数のスイッチの状態を同時に変化させることにより、複数のモードの中から１つのモードを選択する前記命令を入力することを特徴とする請求項６に記載の加熱調理器である。
【００３２】
本発明においては、モードを選択する複数のスイッチは、加熱部に加熱を開始させる命令を入力するスイッチ（加熱開始スイッチと呼ぶ。）を含まない。複数のスイッチを全く同時に押すことは困難である。加熱開始スイッチを含む複数のスイッチを同時に押すことにより第１のモードから第２のモードにモード変化する仕様であって、加熱開始スイッチを他のスイッチより早く押したならば、ユーザが意図しないで加熱部が加熱を開始する故に好ましくない。加熱開始スイッチを含まない複数のスイッチ同時に押すことにより第１のモードから第２のモードにモード変化する仕様であれば、ユーザが意図しないで加熱部が加熱を開始する恐れはない。本発明は安全で安価な加熱調理器を実現できる。また、本来は加熱部が加熱を開始している場合にのみ状態の変化を検知されるスイッチが、加熱部が加熱されていない場合に所定時間（例えば５秒間。）連続で状態が変化した後に次の所定時間（例えば５秒間。）で断続的に複数回にわたって状態が変化すると第１のモードから第２のモードにモード変化する仕様としても良い。
【００３３】
請求項８に記載の発明は、前記第２のモードにおいて、前記第１のモードにおいて前記加熱部に加熱を開始させる命令を入力するスイッチの状態を変化させても、前記加熱部が加熱を開始しない、又は前記第２のモードにおいて、前記加熱部が加熱することを禁止することを特徴とする請求項１から請求項７のいずれかの請求項に記載の加熱調理器である。本発明により、第２のモードでユーザが加熱調理器に連動させる外部の機器を選択している時に、ユーザが誤操作し、意図しないで加熱部が加熱を開始することを防止できる。
【００３４】
請求項９に記載の発明は、前記第２のモードにおいて、前記第２のスイッチの状態を変化させることにより、前記加熱部の制御状態を変化させることなく、前記送信部は前記機器に動作を開始させる命令を送信することを特徴とする請求項１から請求項８のいずれかの請求項に記載の加熱調理器である。
ユーザは、第２のスイッチを押すことにより機器が動作を開始するのを見て、適切な機器が選択されたことを知ることが出来る。
「動作」とは、機器の物理的な動作（例えばモータの回転）の他、照明の点灯、ブザーの鳴動、表示の点灯及び点滅等を含む。
【００３５】
請求項１０に記載の発明は、前記第２のモードにおいて、前記第２のスイッチの状態を変化させることにより、前記加熱部の制御状態を変化させることなく、前記送信部は前記機器に命令を送信して、前記機器を所定時間だけ動作させることを特徴とする請求項９に記載の加熱調理器である。
本発明によれば、ユーザが第２のモードにおいて機器を選択し、機器が動くのを確認した後、機器を停止させることを忘れて、そのまま機器が動作しっぱなしになることを防止できる。典型的には、最初に送信部は機器に動作を開始させる命令を送信し、所定時間後に送信部は機器に動作を停止させる命令を送信する。
【００３６】
請求項１１に記載の発明は、前記第２のモードを終了する時、前記送信部は前記機器に動作を停止させる命令を送信することを特徴とする請求項９に記載の加熱調理器である。
本発明によれば、ユーザが第２のモードにおいて機器を選択し、機器が動くのを確認した後、機器を停止させることを忘れて、そのまま機器が動作しっぱなしになることを防止できる。
【００３７】
請求項１２に記載の発明は、前記第２のモードを開始する時、前記送信部は前記機器に所定の動作を開始させる命令を送信し、前記第２のモードにおいて、前記第２のスイッチの状態を変化させることにより、前記加熱部の制御状態を変化させることなく、前記送信部は前記機器に動作を停止させる命令を送信し、又は、前記第２のモードを開始する時、前記送信部は前記機器に動作を停止させる命令を送信し、前記第２のモードにおいて、前記第２のスイッチの状態を変化させることにより、前記加熱部の制御状態を変化させることなく、前記送信部は前記機器に動作を開始させる命令を送信することを特徴とする請求項１から請求項８のいずれかの請求項に記載の加熱調理器である。
【００３８】
ユーザが第２のモードを選択した時、機器が既に動作しており、ユーザが第２のスイッチを押すと加熱調理器が選択された機器を動作させる命令を送信する仕様であれば、ユーザは適切な機器を選択したか否かを判断できない。本発明によれば、第２のモードが選択された時、いったん機器の動作を停止させるので、ユーザが第２のスイッチを押した時機器が動作を開始すれば、適切な機器が選択されたことを確認できる。
【００３９】
ユーザが第２のモードを選択した時、機器が既に動作を停止しており、ユーザが第２のスイッチを押すと加熱調理器が選択された機器を停止させる命令を送信する仕様であれば、ユーザは適切な機器を選択したか否かを判断できない。本発明によれば、第２のモードが選択された時、機器の動作を開始させるので、ユーザが第２のスイッチを押した時機器が動作を停止すれば、適切な機器が選択されたことを確認できる。
ユーザが第２のモードを選択した時、加熱調理器の送信部は、加熱調理器が選択可能な全ての機器の動作開始命令（又は動作停止命令）を送信することが好ましい。
【００４０】
請求項１３に記載の発明は、前記第２のモードを開始する時、前記送信部は全ての送信データフォーマットで前記機器に動作を開始させる命令、又は、全ての前記機器に共通する停止命令を順次送信することを特徴とする請求項１２に記載の加熱調理器である。これにより、ユーザが第２のモードを選択した時、外部の機器は確実に動作を開始し、又は動作を停止する。
【００４１】
請求項１４に記載の発明は、前記第２のモードになってから所定時間が経過した場合、又は前記第２のモードにおいて所定のスイッチの状態を変化させない状態が所定時間継続した場合、前記第２のモードから前記第１のモードに自動的に変化することを特徴とする請求項１から請求項１３のいずれかの請求項に記載の加熱調理器である。一般に第２のモードは加熱調理器又は外部の周辺機器の設置時に使用し、それ以外はほとんど使用しない。従って、ユーザは第２のモードの存在を忘れていることが多い。加熱調理器が第２のモードになったまま放置されると、ユーザが例えば加熱部ＯＮスイッチを押しても加熱部が動作しないことに困惑する恐れがある。本発明によれば、ユーザが第２のモードから第１のモードに設定を戻すことを忘れても、加熱調理器は自動的に第１のモードに復帰するので、上記のようにユーザを混乱させる恐れがほとんどない。
【００４２】
請求項１５に記載の発明は、前記第１のモードにおいて加熱部の制御状態に関する情報を表示し、前記第２のモードにおいて選択された前記機器の識別情報及び／又は前記機能の識別情報を表示する表示部を更に有することを特徴とする請求項１から請求項１４のいずれかの請求項に記載の加熱調理器である。本発明により、ユーザは第２のモードに変更されたことを明確に認識できるとともに、容易に適切な外部機器を選択できる。
機器の識別情報は、機器を識別可能な任意の情報である。例えば、機器の名称、品番、又は各機器に任意に割り振った符号であっても良い。機能の識別情報は、機器を識別可能な任意の情報である。例えば、機能の名称、又は各機能に任意に割り振った符号であっても良い。各機器（又は機能）に任意の符号を割り振った場合、ユーザは、例えば符号と機器の名称、品番（又は機能の名称）とを含む表を印刷した取扱説明書を参照することにより、所望の機器、機能を選択できる。
【００４３】
請求項１６に記載の発明は、前記第１のモードにおいて前記第１のスイッチを受け付けた時第１の音で報知し、前記第２のモードにおいて前記第２のスイッチを受け付けた時前記第１の音と識別可能な第２の音で報知することを特徴とする請求項１から請求項１５のいずれかの請求項に記載の加熱調理器である。ユーザは、現在のモードが第１のモードか第２のモードかを容易に認識できる。例えば、加熱調理器を誤って第２のモードのまま放置した場合にも、ユーザは第１のモードでないことを容易に知ることが出来る。
【００４４】
請求項１７に記載の発明は、前記第２のモードにおいて前記第２のスイッチを受け付けた時選択されたフォーマットに対応させた固有の音で報知することを特徴とする請求項４に記載の加熱調理器である。ユーザは、選択された送信データフォーマットを音で認識できる
【００４５】
請求項１８に記載の発明は、前記第１のモードにおいて加熱部が動作している場合、前記第１のモードから前記第２のモードに変更することを禁止することを特徴とする請求項１から請求項１７のいずれかの請求項に記載の加熱調理器である。加熱調理器の加熱部が動作中に加熱調理器が誤って第２のモードに移行すると、ユーザの調理作業を混乱させる恐れがある。本発明は、調理中にユーザが誤って第１のモードから第２のモードに切り換えることを防止し、ユーザの調理作業に混乱が生じることを防止する。
【００４６】
請求項１９に記載の発明は、前記機器の動作をオン及びオフするための専用のスイッチを有することを特徴とする請求項１から請求項４のいずれかの請求項に記載の加熱調理器である。これにより、更に使い易い加熱調理器を実現できる。
【００４７】
請求項２０に記載の発明は、前記第２のモードにおいて、前記第２のスイッチの状態を変化させる毎に、複数の前記機器の中から順次且つ循環的に１又は複数の機器が選択され、及び／又は複数の前記機能の中から順次且つ循環的に１又は複数の機能が選択され、及び／又は複数の送信データフォーマットの中から順次且つ循環的に１つの送信データフォーマットが選択されることを特徴とする請求項２から請求項１９のいずれかの請求項に記載の加熱調理器である。この構成により、ユーザは容易に適切な機器、機能又は送信データフォーマットを確実に選択できる。
【００４８】
請求項２１に記載の発明は、前記第２のモードにおいて、前記第２のスイッチの状態を変化させると、最初に予め定められた所定の機器及び／又は機能及び／又は送信データフォーマットが選択されることを特徴とする請求項２０に記載の加熱調理器である。例えばシステムキッチン等においては、同一メーカが販売する加熱調理器と周辺機器とを組み合わせて設置することが多い。加熱調理器と連動させて使用する典型的な周辺機器は換気扇である。第２のモードにおいて、第２のスイッチの状態を変化させると、最初に予め定められた所定の機器、機能、送信データフォーマットが選択されることにより、加熱調理器と所定の周辺機器との連動を直ちに実現できる。所定の機器、機能、送信データフォーマットは、最も選択される可能性が高い機器等に設定される。典型的には加熱調理器のメーカと同一のメーカが販売する換気扇の動作開始機能又は動作停止機能である。
【００４９】
請求項２２に記載の発明は、前記第２のモードにおいて、複数の前記第２のスイッチにそれぞれ異なる１又は複数の前記機器が割り当てられており、１つの前記第２のスイッチの状態を変化させるとそのスイッチに割り当てられた機器が選択されることを特徴とする請求項１から請求項２１のいずれかの請求項に記載の加熱調理器である。ユーザは、所望の機器が選択肢に含まれる第２のスイッチを押すことにより、第２のスイッチを少ない回数押して所望の機器を選択できる。本発明は、ユーザが少ない労力で所望の機器を選択できる加熱調理器を実現できる。
【００５０】
請求項２３に記載の発明は、前記第２のモードにおいて、各々の前記第２のスイッチには同一のメーカが販売している１又は複数の前記機器が割り当てられており、異なる前記第２のスイッチには異なるメーカの前記機器が割り当てられていることを特徴とする請求項２２に記載の加熱調理器である。一般に、ユーザにとって外部機器がどのメーカによって製造販売されているかを認識することは容易である。本発明の加熱調理器において、ユーザはまずメーカ名に基づいて第２のスイッチを選択して押し、そのメーカが販売している機器を選択する。本発明は、ユーザが少ない労力で所望の機器を選択できる加熱調理器を実現できる。
【００５１】
請求項２４に記載の発明は、前記第２のモードにおいて、各々の前記第２のスイッチには同一の種類の１又は複数の前記機器が割り当てられており、異なる前記第２のスイッチには異なる種類の前記機器が割り当てられていることを特徴とする請求項２２に記載の加熱調理器である。本発明の加熱調理器において、ユーザはまず機器名（例えば換気扇、照明器具等）に基づいて第２のスイッチを選択して押し、その機器の中で所望の機器を選択する。本発明は、ユーザが少ない労力で所望の機器を選択できる加熱調理器を実現できる。
【００５２】
請求項２５に記載の発明は、前記入力部は複数のスイッチを有し、前記第２のモードにおいて、１つの前記第２のスイッチの状態を変化させる毎に、複数のメーカ又は複数の機器の種類の中から順次１つのメーカ又は１つの機器の種類が選択され、他の１つの前記第２のスイッチの状態を変化させる毎に、そのメーカ又はその機器の種類に属する複数の前記機器の中から順次１つの機器が選択される、ことを特徴とする請求項２から請求項２１のいずれかの請求項に記載の加熱調理器である。本発明の加熱調理器は、ユーザが加熱調理器と連動させる機器を選択することについて階層構造を有する。本発明は、ユーザが少ない労力で所望の機器を選択できる加熱調理器を実現できる。
【００５３】
請求項２６に記載の発明は、複数の前記機器の制御信号及び／又は選択された前記機器の情報を記憶する不揮発性メモリを有することを特徴とする請求項１から請求項２５のいずれかの請求項に記載された加熱調理器である。本発明は、ユーザが加熱調理器と連動させる機器を選択すると、その機器の情報を不揮発性メモリに記憶する。これにより、加熱調理器の電源を切断しても、加熱調理器はその設定内容を喪失しない。
【００５４】
請求項２７に記載の発明は、請求項１から請求項２６のいずれかの請求項に記載された加熱調理器と、前記加熱調理器の前記送信部が送信する制御信号を受信しそれに応じて動作可能な機器と、を有することを特徴とする連動システムである。
本発明は、加熱調理器と外部機器との連動を、ユーザが加熱調理器の加熱部を動作させることなく確認し、且つ加熱調理器の操作に応じて外部機器が連動する安全な連動システムを実現できる。
本発明は、例えば外部の周辺機器を取り替えた場合、加熱調理器の回路基板の交換を必要としないでユーザが任意の外部の機器を選択でき、加熱調理器と選択された機器とを連動させる、低コストで安全な連動システムを実現できる。
【００５５】
請求項２８に記載の発明は、前記機器が表示部及び／又は報知部を有し、前記第２のモードにおいて、前記加熱調理器の前記第２のスイッチの状態を変化させることにより、前記送信部は、その機器が選択された機器であれば、前記機器の前記表示部に発光させ及び／又は前記報知部に音を発生させる命令であって、前記機器のどの部分も物理的位置の移動を生じることがない命令を送信する、ことを特徴とする請求項２７に記載の加熱調理器である。これにより、第２のモードにおいて、ユーザが適切な機器を選択したことを容易に認識できる。
【００５６】
請求項２９に記載の発明は、前記機器が、換気扇、照明器具、エアコンディショナ、給湯器、トースタ、電気オーブン、電子レンジ及びコーヒーメーカの中の１又は複数の機器であることを特徴とする請求項２７又は請求項２８に記載の加熱調理器である。
例えば、第１のモードにおいて加熱調理器の加熱部を動作開始させると同時に換気扇を回し、又は照明器具を点灯させ、又はエアコンディショナを動作させ若しくは動作を停止させ、又は給湯器、トースタ、電気オーブン、電子レンジ及びコーヒーメーカの動作を停止させる。換気扇を回すことにより調理の煙を排出できる。照明器具を点灯させることにより調理を容易にする。エアコンディショナを動作させることにより台所が暑くなることを防止する。エアコンディショナ、給湯器等の動作を停止させることにより、家庭内配線のブレーカの容量を越える電流が流れて、調理中に電源が落ちることを防止する。
【発明の効果】
【００５７】
本発明によれば、例えば外部の周辺機器を取り替えた場合、加熱調理器と外部機器との連動を、ユーザが加熱調理器の加熱部を動作させることなく確認し、且つ実使用においては加熱調理器の操作に応じて外部機器が連動する加熱調理器及びそれを含む連動システムを実現できるという有利な効果が得られる。
本発明によれば、例えば外部の周辺機器を取り替えた場合、加熱調理器の回路基板の交換を必要としないでユーザが任意の外部の機器を選択でき、加熱調理器と選択された機器とを連動させる、低コストで安全な加熱調理器及びそれを含む連動システムを実現できるという有利な効果が得られる。
本発明においては、ユーザが機器を選択する時に行う入力部への入力操作が煩雑でない。本発明の加熱調理器は不揮発性メモリを有することにより、電源が切れた場合にも設定された連動機器の情報を保存する機能を有する。本発明によれば、ユーザが使い易い加熱調理器及び連動システムを実現できるという有利な効果が得られる。
【発明を実施するための最良の形態】
【００５８】
以下本発明の実施をするための最良の形態を具体的に示した実施の形態について、図面とともに記載する。
【００５９】
《実施の形態１》
図１〜図６を用いて、本発明の実施の形態１の加熱調理器及びそれを含む連動システムを説明する。図１は、実施の形態１の加熱調理器を含む連動システムの概略構成を示す図である。図１において、１は加熱調理器、２は換気扇である。図１の連動システムはブロック図において従来例１と同じであるが、制御部の動作が従来例１と異なる。従来例１の記憶部１０は１個の換気扇２に送信する制御信号のみを記憶していた。実施の形態１の記憶部１０は換気扇２を含む複数の周辺機器に送信する制御信号と、現在選択されている機器とを記憶する。それ以外の点において実施の形態１の連動システムは従来例１と同一である。周辺機器は、加熱調理器１の動作と関連して動作する任意の装置であれば良く、例えば、換気扇、照明器具、エアコン、給湯器等である。
加熱調理器１は、トッププレート４と、送信部５と、加熱部６と、制御部７と、操作部８と、記憶部１０とを有する。換気扇２は、受信部１１と、ファン１２と、換気扇制御部１７とを有する。
【００６０】
トッププレート４は、その上部に被加熱体である鍋３を載置するために設けられており、材質は耐熱強化ガラスからなる。加熱部６は、右バーナと、左バーナと、ロースタと、ラジェントとの４つの加熱コイルを有する。トッププレート４の上面には、鍋３の載置位置を示す表示が各々プリントされている。
加熱部６は、４つの加熱コイル（図示しない。）とそれぞれの高周波電流制御部（図示しない。）とを備える。右バーナ及び左バーナは誘導加熱コイルであって、誘導加熱コイルに高周波電流を流すことによって被加熱体である鍋３を誘導加熱し、鍋３内の被調理物を加熱調理する。ロースタ及びラジェントは通常の加熱コイルであって、加熱コイルに電流を流すことによって被加熱体である鍋３を加熱する。
【００６１】
操作部８は、ＬＥＤによって加熱調理器の状態を表示する表示部１３と、複数のスイッチによってユーザが制御命令を入力するための入力部１４を有する。操作部８の詳細は後述する。
記憶部１０は、換気扇２を含む複数の機器に送信する制御信号と、現在選択されている機器の情報とを記憶する。記憶部１０は、不揮発性メモリであり、電源オフによって内容が消去されない。
制御部７は、加熱部６の状態信号（例えば鍋温度の情報、誘導加熱コイルを流れる電流値等）及びユーザが操作部８に入力した入力信号を受けて、加熱部６に加熱開始、加熱停止、加熱強度レベルの設定等の命令を出力する。制御部７は、ユーザが入力部１４に入力した命令に応じて、送信部５に選択された機器である換気扇２の動作を制御する制御命令を出力する。
送信部５は、制御部７からの指令を受け、赤外線による制御信号を換気扇２の受信部１１に送信する。
【００６２】
受信部１１は、加熱調理器１の送信部５が送信した赤外線の制御信号を受信する。換気扇制御部１７は、受信部１１が受信した制御信号に応じてファン１２を回転駆動制御する。
【００６３】
本発明の加熱調理連動システムにおいて、第１のモードとして加熱調理器１の加熱部６の加熱を伴う調理動作を行うための調理モードと、第２のモードとして加熱調理器と連動させる機器を選択するための選択モードとを有する。
図２を用いて加熱調理器のモード選択について説明する。図２は、実施の形態１の加熱調理器１の操作部８を示す図である。図２において、２０は左バーナ操作部、２１はロースタ又はラジェント操作部、２２は右バーナ操作部、２３はモード選択スイッチである。各操作部２０、２１、２２は、各々表示部２０ａ、２１ａ、２２ａと、加熱部６の加熱開始及び停止を制御しない非加熱命令入力部２０ｂ、２１ｂ、２２ｂと、加熱部６の加熱開始及び停止を制御する加熱命令入力部２０ｃ、２１ｃ、２１ｄ、２２ｃを有する。
【００６４】
表示部２０ａは、調理モードにおいて、左バーナが加熱状態であるか否か、加熱強度はどの程度か、残り加熱時間が幾らか等の加熱状況を表示する。表示部２１ａは、ロースタ又はラジェントに関して、表示部２０ａと同様の機能を有する。表示部２２ａは、右バーナに関して、表示部２０ａと同様の機能を有する。表示部２０ａ、２０ｂ、２０ｃは、選択モードにおいて、選択されたフォーマット又は機能を表示する。
【００６５】
非加熱命令入力部２０ｂは、加熱部６の加熱開始及び加熱停止以外の制御（「非加熱制御」と呼ぶ。）を行うためのスイッチであり、例えば、加熱中に火力の強弱を調節したり、タイマー制御を用いて加熱開始時間や加熱停止時間を設定するためのものである。非加熱命令入力部２１ｂは、ロースタ又はラジェントに対して非加熱命令入力部２０ｂと同様の機能を有する。非加熱命令入力部２２ｂは、右バーナに対して非加熱命令入力部２０ｂと同様の機能を有する。
安全面上、非加熱命令入力部２０ｂ、２１ｂ、２２ｂのみの操作によって、加熱部６が加熱を開始することは絶対に無い。
【００６６】
加熱命令入力部２０ｃは、左バーナの加熱部６の加熱開始又は加熱停止を制御するためのスイッチである。制御部７は、加熱命令入力部２０ｃからの加熱開始命令を受けて、左バーナの加熱コイルに高周波電流を流すことで、トッププレート４に載置された鍋３を加熱開始する。また、加熱命令入力部２０ｃからの加熱停止命令を受けて、左バーナの加熱コイルの電流を停止することで、鍋３の加熱を停止する。加熱命令入力部２１ｃはラジェントに対して加熱命令入力部２０ｃと同様の機能を有する。加熱命令入力部２１ｄはロースタに対して加熱命令入力部２０ｃと同様の機能を有する。加熱命令入力部２２ｃは、右バーナに関して加熱命令入力部２０ｃと同様の機能を有する。
安全面上、加熱命令入力部２０ｃ、２１ｃ、２１ｄ、２２ｃは、調理モードにおいてのみ有効であり、選択モードでは加熱命令入力部２０ｃ、２１ｃ、２１ｄ、２２ｃのスイッチ入力は無効である。
【００６７】
モード選択スイッチ２３は、調理モード又は選択モードを選択するためのスイッチである。調理モードにおいて加熱部６が加熱中であるとき、モード選択スイッチ２３を押しても選択モードに変化しない。
【００６８】
図３は、記憶部１０に記憶された、複数のメーカの種々の送信データフォーマットによる種々の外部機器に対する制御信号の内容の一部を示した図である。記憶部１０は、予め、これらの制御信号を記憶している。
図３において、Ｘ社製の換気扇及び／又は照明器具への複数の送信データフォーマットによる制御信号の内容が示されている。フォーマット欄に記載されたＡ〜Ｐは各メーカの各機器に対する異なる送信データフォーマットを表す。Ａ〜ＤはＸ社の換気扇及び／又は照明器具に対する制御信号についての種々のフォーマットを示す。標準の送信データフォーマットＡは、Ｘ社が換気扇の工場出荷時に標準としている設定である。複数の送信データフォーマットについて、１つの標準フォーマットが定められている。フォーマットを構成する要素は任意であって、例えば命令コード、バースト幅、ポーズ期間幅、搬送波の周波数、変調方式等である。
【００６９】
Ａ−１〜Ａ−４は、フォーマットＡが選択されているときに、送信部５が外部の機器に送信する制御信号の内容を示す。Ａ−１の照明器具「切／入」信号が選択された場合、ユーザが加熱命令入力部２０ｃ、２１ｃ、２１ｄ、２２ｃのスイッチを押して加熱を開始すると、送信部５が所定の照明器具に点灯命令を送信する。ユーザが加熱命令入力部２０ｃ、２１ｃ、２１ｄ、２２ｃのスイッチを押して加熱を停止すると、送信部５が所定の照明器具に消灯命令を送信する。Ａ−２の換気扇「切」信号が選択された場合、ユーザが加熱命令入力部２０ｃ、２１ｃ、２１ｄ、２２ｃのスイッチを押して加熱を開始した時、送信部５は何も制御信号を送信せず、ユーザが加熱命令入力部２０ｃ、２１ｃ、２１ｄ、２２ｃのスイッチを押して加熱を停止すると、送信部５は換気扇に停止命令を送信する。
【００７０】
Ａ−３の換気扇「入／風量切り替え」信号が選択された場合、ユーザが加熱命令入力部２０ｃ、２１ｃ、２１ｄ、２２ｃのスイッチを押して加熱を開始すると、送信部５が換気扇に回転開始命令を送信する。ユーザが加熱命令入力部２０ｃ、２１ｃ、２１ｄ、２２ｃのスイッチを押して加熱を停止した時、送信部５は何も制御信号を送信しない。ユーザが非加熱命令入力部２０ｂ、２１ｂ、２２ｂのスイッチを押して加熱強度レベルをアップ又はダウンさせると、それに応じて送信部５は換気扇に風量をアップし又はダウンする命令を送信する。
Ａ−４の照明器具・換気扇の同時「切／入」信号が選択された場合、ユーザが加熱命令入力部２０ｃ、２１ｃ、２１ｄ、２２ｃのスイッチを押して加熱を開始すると、送信部５が照明器具に点灯命令を送信し、続いて換気扇に回転開始命令を送信する。ユーザが加熱命令入力部２０ｃ、２１ｃ、２１ｄ、２２ｃのスイッチを押して加熱を停止すると、送信部が照明器具に消灯命令を送信し、続いて換気扇に回転停止命令を送信する。
【００７１】
上記の様に、ユーザが加熱命令入力部のスイッチを押すと送信部５が機器に制御信号を送ることも出来る。ユーザが加熱命令入力部のスイッチ、非加熱命令入力部のスイッチのいずれを押しても送信部５が機器に制御信号を送ることも出来る。送信部が複数の機器に制御信号を送ることも出来る。送信部が、１つ又は複数の機器のそれぞれについて複数の機能を制御しても良い。Ｂ−１〜Ｄ−４は、それぞれＡ−１〜Ａ−４の制御信号と同一の制御内容であって、異なる送信データフォーマットの制御信号である。
【００７２】
Ｅ〜ＨはＹ社製の換気扇の４種類の送信データフォーマットである。Ｅ−１〜Ｅ−４の制御信号の内容はＡ−１〜Ａ−４の制御信号と同一である。Ｆ−１〜Ｈ−４は、それぞれＥ−１〜Ｅ−４の制御信号と同一の制御内容であって、異なる送信データフォーマットの制御信号である。
【００７３】
Ｉ〜ＬはＹ社製のエアコンの送信データフォーマットである。Ｉ−１〜Ｉ−３は、フォーマットＩが選択されているときに、送信部５がエアコンに送信する制御信号の内容を示す。Ｊ−１〜Ｌ−３は、それぞれＩ−１〜Ｉ−３の制御信号と同一の制御内容であって、異なる送信データフォーマットの制御信号である。Ｉ−１の最大消費電力規制「切／入」信号が選択された場合、エアコンはその消費電力が所定値（典型的には、加熱調理器とエアコンの消費電流の合計が２０Ａ以下である値）以下に制限されて動作する。加熱調理器と他の大電力消費機器（エアコン）とが１つのブレーカから商用交流電力を入力する場合、２つの機器の消費電流の合計がブレーカの定格を越えないように出来る。
Ｍ〜ＰはＺ社製の給湯器の送信データフォーマットである。Ｍ−１〜Ｍ−３は、フォーマットＭが選択されているときに、送信部５が給湯器に送信する制御信号の内容を示す。Ｎ−１〜Ｐ−３は、それぞれＭ−１〜Ｍ−３の制御信号と同一の制御内容であって、異なる送信データフォーマットの制御信号である。
【００７４】
図４は、制御部７が実行するモード選択方法を示すフローチャートである。最初に制御部７はモード選択スイッチ２３が押されたか（モード選択命令の入力）どうかを調べ（Ｓ４０１）、押されていればＳ４０２へ進み、そうでなければＳ４０６に進む。Ｓ４０２において、調理モードが選択されているか否かを調べ、選択されていればＳ４０３へ進み、選択されていなければＳ４０５へ進む。
Ｓ４０３において、加熱部６が加熱中であるか否かを調べ、加熱中でなければ選択モードを選択し（Ｓ４０４）、その後Ｓ４０６へ進む。加熱中であれば何もせずにＳ４０６へ進む。
Ｓ４０５において、調理モードを選択し、その後Ｓ４０６へ進む。
Ｓ４０６において、調理モードが選択されているか否かを調べ、選択されていればＳ４０７へ進み、選択されていなければＳ４０８へ進む。調理モードが選択されていれば、調理モード処理を行う（Ｓ４０７）。選択モードが選択されていれば、選択モード処理を行う（Ｓ４０８）。Ｓ４０１に戻って上記の処理を繰り返す。
Ｓ４０３を削除し、これに代えて、選択モードにおいて加熱部６が動作することを禁止しても良い。選択モードが選択された場合は、加熱部６の動作を停止させる。選択モードにおいて、加熱開始命令が入力されても、加熱部６は加熱を開始しない。
【００７５】
次に、図５〜図６を用いて、調理モード処理及び選択モード処理の詳細を説明する。最初に図５を用いて調理モード処理を説明する。図５は、図４におけるＳ４０７の調理モード処理の詳細を示すフローチャートである。図５の調理モード処理が行われる前に、後述する選択モード処理により、送信部５が所定の送信データフォーマット（選択フォーマットと呼ぶ。）で換気扇に対して以下の制御信号を送信することが選択されているとする。ユーザが加熱命令入力部２０ｃ、２１ｃ、２１ｄ、２２ｃのスイッチを押して加熱を開始すると、送信部５が換気扇に回転開始命令を送信する。ユーザが加熱命令入力部２０ｃ、２１ｃ、２１ｄ、２２ｃのスイッチを押して加熱を停止すると、送信部５が換気扇に回転停止命令を送信する。ユーザが非加熱命令入力部２０ｂ、２１ｂ、２２ｂのスイッチを押して加熱部６の火力を強め又は弱めると、それに応じて送信部５が換気扇の風量を上げ又は下げる制御信号を送信する。以下、調理モード処理を説明する。図５の処理は制御部７が主として行い、制御部７からの命令に従って加熱部６、送信部５等が所定の処理を行う。
【００７６】
最初に制御部７は、加熱命令入力部２０ｃ、２１ｃ、２１ｄ、２２ｃから加熱開始命令又は加熱停止命令が入力されたか否かを調べ（Ｓ５０１）、入力されていればＳ５０２に進み、入力されていなければＳ５０４に進む。
加熱開始命令が入力されていれば加熱部６をオンに切り替え、加熱停止命令が入力されていれば加熱部６をオフに切り替える（Ｓ５０２）。また、加熱開始命令が入力されていれば、送信部５は選択フォーマットで換気扇２の動作を開始する命令を送信し、加熱停止命令が入力されていれば、送信部５は選択フォーマットで換気扇２の動作を停止する命令を送信する（Ｓ５０３）。
【００７７】
Ｓ５０１において加熱開始命令も加熱停止命令も入力されなかった場合、非加熱命令入力部２０ｂ、２１ｂ、２２ｂから非加熱命令が入力されたかどうかを調べ（Ｓ５０４）、入力されていればＳ５０５に進み、入力されていなければ何もしない。非加熱命令が入力されていれば、加熱部６が加熱中であるか否かを調べ（Ｓ５０５）、加熱中であればＳ５０６に進み、加熱中で無ければ何もしない。非加熱命令が入力され且つ加熱部６が加熱中であれば、加熱部６は火力の強弱を調節する（Ｓ５０６）。また、送信部５は、換気扇２のファン１２の風量の強弱を調節する制御信号を送信する（Ｓ５０７）。
【００７８】
次に、図６を用いて選択モード処理を説明する。図６は、図４におけるＳ４０８の選択モード処理の詳細を示すフローチャートである。図６の処理は制御部７が主として行い、制御部７からの命令に従って送信部５等が所定の処理を行う。図３に示す制御信号を例にとって説明する。
選択モードが選択されると、まず送信部５は、記憶部１０に記憶されている全てのフォーマットで、動作停止命令を送信する（Ｓ６０１）。外部の機器とは、記憶部１０に記憶された、換気扇を含む加熱調理器以外の電気機器を指す。好ましくは、動作停止命令は記憶部１０に記憶されている全ての外部の機器に対して動作停止を命じる信号である。選択モードにおいて、ユーザがいかなるスイッチを押しても、制御部７は加熱部６に加熱開始命令を絶対に送らない。
【００７９】
次に、左バーナの右矢印スイッチが押されたか否かを調べ（Ｓ６０２）、押されていれば全ての送信データフォーマットＡ〜Ｐの中から１つのフォーマットを選択する処理を行う（Ｓ６０３）。押されていなければＳ６０４に進む。ユーザが左バーナの右矢印スイッチを押す度に、Ｓ６０３において１６種類の送信データフォーマットＡ〜Ｐが順次、循環的に選択される。Ｐ：第３の送信データフォーマットの次には再びＡ：標準のデータフォーマットが選択される。ユーザが左バーナの右矢印スイッチを押す度に、送信部５は選択されたフォーマットで所定の機器に動作命令を送信する。例えば、送信部５は換気扇に回転命令を送信する。ユーザは換気扇が回転するか否かを見て、選択されたフォーマットが換気扇が受信可能なフォーマットか否かを判断できる。
【００８０】
次に、左バーナの「分」スイッチが押されたか否かを調べ（Ｓ６０４）、押されていればＸ社の換気扇及び／又は照明器具に対する送信データフォーマットＡ〜Ｄの中から１つのフォーマットを選択する処理を行う（Ｓ６０５）。押されていなければＳ６０６に進む。ユーザが左バーナの「分」スイッチを押す度に、Ｓ６０５において４種類の送信データフォーマットＡ〜Ｄが順次、循環的に選択される。ユーザが左バーナの「分」スイッチを押す度に、送信部５は選択フォーマットでＸ社の換気扇及び照明器具に動作命令を送信する。ユーザは換気扇が回転するか否か又は照明器具が点灯するか否かを見て、選択されたフォーマットが換気扇及び照明器具が受信可能なフォーマットか否かと、制御信号の対象が換気扇及び照明器具か否かと、を判断できる。
【００８１】
次に、ロースタ又はラジェントの「分」スイッチが押されたか否かを調べ（Ｓ６０６）、押されていればＹ社の換気扇及び／又は照明器具に対する送信データフォーマットＥ〜Ｈの中から１つのフォーマットを選択する処理を行う（Ｓ６０７）。押されていなければＳ６０８に進む。ユーザがロースタ又はラジェントの「分」スイッチを押す度に、Ｓ６０７において４種類の送信データフォーマットＥ〜Ｈが順次、循環的に選択される。ユーザがロースタ又はラジェントの「分」スイッチを押す度に、送信部５は選択フォーマットでＹ社の換気扇及び照明器具に動作命令を送信する。ユーザは、選択されたフォーマット及び制御対象の機器が適切か否かを判断できる。
【００８２】
次に、ロースタ又はラジェントの左矢印スイッチが押されたか否かを調べ（Ｓ６０８）、押されていればＹ社のエアコンに対する送信データフォーマットＩ〜Ｌの中から１つのフォーマットを選択する処理を行う（Ｓ６０９）。押されていなければＳ６１０に進む。ユーザがロースタ又はラジェントの左矢印スイッチを押す度に、Ｓ６０９において４種類の送信データフォーマットＩ〜Ｌが順次、循環的に選択される。ユーザがロースタ又はラジェントの左矢印スイッチを押す度に、送信部５は選択フォーマットでＹ社のエアコンに動作命令を送信する。ユーザは、選択されたフォーマット及び制御対象の機器が適切か否かを判断できる。
【００８３】
次に、右バーナの「分」スイッチが押されたか否かを調べ（Ｓ６１０）、押されていればＺ社の給湯器に対する送信データフォーマットＭ〜Ｐの中から１つのフォーマットを選択する処理を行う（Ｓ６１１）。押されていなければＳ６１２へ進む。ユーザが右バーナの「分」スイッチを押す度に、Ｓ６１１において４種類の送信データフォーマットＭ〜Ｐが順次、循環的に選択される。ユーザが右バーナの「分」スイッチを押す度に、送信部５は選択フォーマットでＺ社の給湯器に動作命令を送信する。ユーザは、選択されたフォーマット及び制御対象の機器が適切か否かを判断できる。
【００８４】
次に、右バーナの右矢印スイッチが押されたか否かを調べ（Ｓ６１２）、押されていれば制御信号の内容を選択する処理を行う（Ｓ６１３）。押されていなければＳ６１４へ進む。ユーザが右バーナの右矢印スイッチを押す度に、Ｓ６１３において複数種類の制御信号（例えば図３のＡ−１〜Ａ−４）が順次、循環的に選択される。ユーザが右バーナの右矢印スイッチを押す度に、表示部１３は選択された制御信号の内容を表示する。実施の形態１においては、右バーナ操作部２２の表示部に制御信号の符号を表示する。ユーザは、表示を見て適切な制御信号を選択できる。
好ましくは、表示部１３は、調理モードにおいて加熱部の制御状態に関する情報を表示し、選択モードにおいて選択された機器の識別情報及び／又は機能の識別情報を表示する。
【００８５】
次に、モード選択スイッチ２３が押されたか（モード選択命令の入力）どうかを調べ（Ｓ６１４）、押されていればＳ６１５へ進み、そうでなければＳ６０２に戻り、上記の処理を繰り返す。
Ｓ６１５において、送信部５は記憶部１０に記憶されている全てのフォーマットで動作停止命令を順次送信する。送信部５が赤外線リモコンであれば、送信部５が制御可能な機器の数は限られるので、選択フォーマットでのみ動作停止命令を送信しても良い。次に、選択フォーマット及び選択された制御信号を不揮発性メモリに記憶し（Ｓ６１６）、選択モードを終了する（調理モードに移る。）。
【００８６】
選択モードにおいてユーザが送信データフォーマットの選択スイッチを押す度に送信部５が制御対象である機器に対して動作命令を送信することは、ユーザが選択フォーマット及び制御対象の機器を視認する上で役立つ。
【００８７】
選択モードの開始時に、全機器に対して全フォーマットの動作停止命令を送信しているため（図６におけるＳ６０１）、例えば換気扇２はファン１２の回転を停止する。フォーマットＡ〜Ｄのいずれかの動作開始命令を有効に受信すると、換気扇２はファン１２を回転駆動させる。ユーザは、ファン１２が回転を始めたことを見て、所定のフォーマットが換気扇２により認識されたことを知り、そのフォーマットを選択フォーマットとして決定し、選択モードを終了する。
決定スイッチを設け、Ｓ６１４において決定スイッチを押すことにより、記憶部１０の不揮発性メモリに記憶されるフォーマットを決定しても良い。図２のいずれかのスイッチを決定スイッチとして割り当てても良く、新たに設けたスイッチを専用の決定スイッチとしても良い。
【００８８】
選択モードでユーザが選択するフォーマット及び制御信号を決定すると、調理モードにおいて、ユーザが所定のスイッチを押すと、送信部５は選択フォーマットの制御信号を換気扇２に送信する（図５におけるＳ５０３及びＳ５０７）。
なお、送信部５は、動作開始命令に代えて電源オン命令を送信し、動作停止命令に代えて電源オフ命令を送信しても良く、同様の効果が得られる。
【００８９】
実施の形態１の選択モードにおいて、フォーマット、制御対象機器、制御信号の内容（機能）の選択方法は任意である。例えば、ユーザが第１の所定のスイッチを押す度に４種類の送信データフォーマット中の１つが順次且つ循環的に選択されても良い。ユーザが第２の所定のスイッチを押す度に１０種類の制御対象機器の中の１つが順次且つ循環的に選択されても良い。ユーザが第３の所定のスイッチを押す度にｋ種類（ｋは２以上の正整数）の制御信号の内容（機能）の中の１つが順次且つ循環的に選択されても良い。
【００９０】
調理モードから選択モードに遷移すると、最初に予め定められた所定の機器及び／又は機能及び／又は送信データフォーマットが選択されても良い。加熱調理器と連動させて使用する可能性が最も高い周辺機器、送信データフォーマット、機能が存在する。例えば標準の送信データフォーマットで、加熱調理器１が加熱を開始すると同時に送信部５が所定の機種の換気扇２に回転開始命令を送信し、加熱調理器１が加熱を停止すると同時に送信部５が所定の機種の換気扇２に回転停止命令を送信する機能である。そこで、連動システムに組み込まれて使用される可能性が最も高い上記の機器、標準の送信データフォーマット及び機能を選択モードにおいて最初に選択されるようにする。これにより、ユーザが所望の設定をするまでに必要な操作の時間を短く出来る。
【００９１】
選択モードにおいて、操作部の複数のスイッチにそれぞれ異なる１又は複数の機器を割り当て、１つのスイッチを押すとそのスイッチに割り当てられた機器が選択されるようにしても良い。
選択モードにおいて、操作部の複数のスイッチには同一のメーカが販売している１又は複数の機器を割り当て、異なるスイッチには異なるメーカの機器が割り当てられるようにしても良い。
【００９２】
選択モードにおいて、操作部の複数のスイッチの各々には同一の種類の１又は複数の前記機器が割り当てられており、異なるスイッチには異なる種類の機器が割り当てられていても良い。
【００９３】
選択モードにおいて、１つのスイッチを押す毎に、複数のメーカ又は複数の機器の種類の中から順次１つのメーカ又は１つの機器の種類が選択され、他の１つのスイッチを押す毎に、そのメーカ又はその機器の種類に属する複数の機器の中から順次１つの機器が選択されても良い。
【００９４】
また、モードは、調理モードと選択モードの２つであったが、これに限らず、異常履歴を表示するサービスマン対応モード等のモードを追加しても良い。
【００９５】
また、本実施の形態において、加熱調理器１の送信部５と、換気扇２の受信部１１とは、ケーブル等で接続されておらず、赤外線制御信号により通信を行うものとしたが、これに限らず、赤外線でない他の無線通信を行っても良い。もしくは、加熱調理器１の送信部５と、換気扇２の受信部１１がケーブルで接続された有線通信によるものでも良い。
【００９６】
また、加熱部６は、右バーナと、左バーナと、ロースタ又はラジェントの３つの加熱部で構成されるとしたが、これに限らず、加熱部６は１つのみ加熱部を有するものでも良いし、２つ又は３つ以上の加熱部を有するものでも良い。
【００９７】
また、表示部１３は、ＬＥＤによって文字や記号を出力することによってユーザに視覚的に設定情報を通知するものとしたが、これに限らず、音声メッセージによって聴覚的にユーザに通知するものでも良い。
【００９８】
実施の形態１においては、選択モードにおいてユーザが右バーナ操作部２２の右矢印スイッチを押す度に、制御信号の内容が変化した。これに代えて、制御信号の内容の選択手段を削除しても良い。この場合、例えば制御信号の内容を以下の一定の仕様に定める。ユーザが加熱命令入力部のスイッチ２０ｃ、２１ｃ、２１ｄ、２２ｃを押して加熱部６が加熱を開始する時に送信部５は機器に動作開始命令を送信し（例えば換気扇に回転開始命令を送信し、照明器具に点灯命令を送信する。）、ユーザが加熱命令入力部のスイッチ２０ｃ、２１ｃ、２１ｄ、２２ｃを押して加熱部６が加熱を停止する時に送信部５は機器に動作停止命令を送信する（例えば換気扇に回転停止命令を送信し、照明器具に消灯命令を送信する。）。
【００９９】
非加熱命令入力部の所定のスイッチは、選択モードにおける送信データフォーマット等の選択スイッチ（選択スイッチと略す。）と、調理モードにおける加熱部及び外部機器連動制御用スイッチ（例えば加熱強度レベルと換気扇の風量とのアップ／ダウン）とを兼ねる場合がある。調理モードにおいて、非加熱命令入力部の所定のスイッチは、加熱部単体の制御スイッチであっても良い（加熱部及び外部機器連動制御用スイッチではない）。この場合、例えば加熱命令入力部のスイッチのみが加熱部及び外部機器連動制御用スイッチ（例えば加熱と換気扇のオン／オフ）の役割を果たす。
【０１００】
《実施の形態２》
図７を用いて、本発明の実施の形態２の加熱調理器及びそれを含む連動システムを説明する。図７は、実施の形態１の加熱調理器を含む連動システムの概略構成を示す図である。
図７は、本実施の形態における選択モード処理のフローチャートである。本実施の形態は、選択モードにおける処理においてのみ実施の形態１（図６）と異なる。それ以外の点においては、実施の形態１（図１〜図５）と同様である。
【０１０１】
選択モードが選択されると、まず、記憶部１０に記憶されている全てのフォーマットで、外部の機器に対し動作開始命令を送信する（Ｓ７０１）。好ましくは、動作開始命令は記憶部１０に記憶されている全ての外部の機器に対して動作開始を命じる信号である。動作の内容は機器の機能に応じて異なる。本実施の形態では、外部の機器として換気扇２が設置されているので、換気扇２は、動作開始命令を受信し、ファン１２の回転駆動を開始する。選択モードにおいて、ユーザがいかなるスイッチを押しても、制御部７は加熱部６に加熱開始命令を絶対に送らない。
【０１０２】
次に、左バーナの右矢印スイッチが押されたか否かを調べ（Ｓ６０２）、押されていれば全フォーマットＡ〜Ｐの中から１つのフォーマットを選択する処理を行う（Ｓ７０３）。押されていなければＳ６０４に進む。ユーザが左バーナの右矢印スイッチを押す度に、Ｓ７０３において１６種類の送信データフォーマットＡ〜Ｐが順次、循環的に選択される。Ｐ：第３の送信データフォーマットの次には再びＡ：標準のデータフォーマットが選択される。ユーザが左バーナの右矢印スイッチを押す度に、送信部５は選択されたフォーマットで所定の機器に停止命令を送信する。例えば、送信部５は換気扇に停止命令を送信する。ユーザは換気扇が回転を停止するか否かを見て、選択されたフォーマットが換気扇が受信可能なフォーマットか否かを判断できる。
【０１０３】
次に、左バーナの「分」スイッチが押されたか否かを調べ（Ｓ６０４）、押されていればＸ社の換気扇及び／又は照明器具に対する送信データフォーマットＡ〜Ｄの中から１つのフォーマットを選択する処理を行う（Ｓ７０５）。押されていなければＳ６０６に進む。ユーザが左バーナの「分」スイッチを押す度に、Ｓ７０５において４種類の送信データフォーマットＡ〜Ｄが順次、循環的に選択される。ユーザが左バーナの「分」スイッチを押す度に、送信部５は選択フォーマットでＸ社の換気扇及び照明器具に停止命令を送信する。ユーザは換気扇が回転を停止するか否か又は照明器具が消灯するか否かを見て、選択されたフォーマットが換気扇及び照明器具が受信可能なフォーマットか否かと、制御信号の対象が換気扇及び照明器具か否かと、を判断できる。
【０１０４】
次に、ロースタ又はラジェントの「分」スイッチが押されたか否かを調べ（Ｓ６０６）、押されていればＹ社の換気扇及び／又は照明器具に対する送信データフォーマットＥ〜Ｈの中から１つのフォーマットを選択する処理を行う（Ｓ７０７）。押されていなければＳ６０８に進む。ユーザがロースタ又はラジェントの「分」スイッチを押す度に、Ｓ７０７において４種類の送信データフォーマットＥ〜Ｈが順次、循環的に選択される。ユーザがロースタ又はラジェントの「分」スイッチを押す度に、送信部５は選択フォーマットでＹ社の換気扇及び照明器具に停止命令を送信する。ユーザは、選択されたフォーマット及び制御対象の機器が適切か否かを判断できる。
【０１０５】
次に、ロースタ又はラジェントの左矢印スイッチが押されたか否かを調べ（Ｓ６０８）、押されていればＹ社のエアコンに対する送信データフォーマットＩ〜Ｌの中から１つのフォーマットを選択する処理を行う（Ｓ７０９）。押されていなければＳ６１０に進む。ユーザがロースタ又はラジェントの左矢印スイッチを押す度に、Ｓ７０９において４種類の送信データフォーマットＩ〜Ｌが順次、循環的に選択される。ユーザがロースタ又はラジェントの左矢印スイッチを押す度に、送信部５は選択フォーマットでＹ社のエアコンに停止命令を送信する。ユーザは、選択されたフォーマット及び制御対象の機器が適切か否かを判断できる。
【０１０６】
次に、右バーナの「分」スイッチが押されたか否かを調べ（Ｓ６１０）、押されていればＺ社の給湯器に対する送信データフォーマットＭ〜Ｐの中から１つのフォーマットを選択する処理を行う（Ｓ７１１）。押されていなければＳ６１２へ進む。ユーザが右バーナの「分」スイッチを押す度に、Ｓ７１１において４種類の送信データフォーマットＭ〜Ｐが順次、循環的に選択される。ユーザが右バーナの「分」スイッチを押す度に、送信部５は選択フォーマットでＺ社の給湯器に停止命令を送信する。ユーザは、選択されたフォーマット及び制御対象の機器が適切か否かを判断できる。
【０１０７】
次に、右バーナの右矢印スイッチが押されたか否かを調べ（Ｓ６１２）、押されていれば制御信号の内容を選択する処理を行う（Ｓ６１３）。押されていなければＳ６１４へ進む。ユーザが右バーナの右矢印スイッチを押す度に、Ｓ６１３において複数種類の制御信号（例えば図３のＡ−１〜Ａ−４）が順次、循環的に選択される。ユーザが右バーナの右矢印スイッチを押す度に、表示部１３は選択された制御信号の内容を表示する。実施の形態１においては、右バーナ操作部２２の表示部に制御信号の符号を表示する。ユーザは、表示を見て適切な制御信号を選択できる。
【０１０８】
次に、モード選択スイッチ２３が押されたか（モード選択命令の入力）どうかを調べ（Ｓ６１４）、押されていればＳ６１６へ進み、そうでなければＳ６０２に戻り、上記の処理を繰り返す。
Ｓ６１６において、選択フォーマット及び選択された制御信号を不揮発性メモリに記憶し、選択モードを終了する（調理モードに移る。）。
【０１０９】
選択モードになると各機器に動作を開始させ、ユーザが送信データフォーマットの選択スイッチを押す度に送信部５が制御対象である機器に対して動作停止命令を送信することは、ユーザが選択フォーマット及び制御対象の機器を視認する上で役立つ。
【０１１０】
《実施の形態３》
図８を用いて、実施の形態３の加熱調理器及びそれを含む連動システムを説明する。図８は、実施の形態３の加熱調理器の操作部８を示す図である。図８の操作部８は、図６におけるモード選択スイッチ２３を除する点において、実施の形態１とは異なる。それ以外の点において、実施の形態３は実施の形態１と同じである。
【０１１１】
図８において、実施の形態１と異なる点のみを説明する。上記の様に、図８の操作部８は、図６におけるモード選択スイッチ２３を有していない。
非加熱制御命令入力部２０ｂ、２１ｂ、２２ｂの全ての「分」スイッチを所定時間（例えば５秒間）３つ同時長押しすることで調理モード又は選択モードを切り換えて選択できる。これにより、専用スイッチ（図６のモード選択スイッチ２３）が不要になる。加熱部が加熱中であるときは、長押しによるモード選択は無効となる。
このような構成にすることで、モード選択のためのスイッチを設置せず、安全かつ低コストな加熱調理器及び連動システムを実現することが可能となる。
【０１１２】
なお、モード選択時に同時押しする複数のスイッチは、３つのスイッチでなくとも、２つのスイッチでも、３つ以上のスイッチであっても良い。長押し時間は、５秒でなくとも、それより短くても長くても良い。安全面上の理由で、非加熱命令入力部の複数のスイッチをモード選択時に同時押しする複数のスイッチとして用いることが好ましい。更に、誤動作を防ぐため、スイッチの配置位置が互いに離れている複数のスイッチをモード選択時に同時押しする複数のスイッチとして用いることが好ましい。
【０１１３】
また、モード選択は複数スイッチの同時押しに限らず、本来は加熱部の加熱を開始している場合のみ状態の変化を検知されるスイッチが、加熱部が加熱されていない場合に所定時間（例えば５秒間。）連続で状態が変化した後に次の所定時間（例えば５秒間。）で断続的に複数回にわたって状態が変化すると第１のモードから第２のモードにモード変化するなど、通常の状態変化とは異なる状態変化を検知するとモードが選択されるものでも良い。
【０１１４】
《実施の形態４》
図９及び１０を用いて、実施の形態４の加熱調理器及びそれを含む連動システムを説明する。図９は、実施の形態４の加熱調理器の構成の概略を示す図である。図９において、加熱調理器９０がタイマ９１を有する点において、実施の形態１の加熱調理器１とは異なる。実施の形態４の加熱調理器は、選択モードにおける処理が実施の形態１と異なる。それ以外の点においては、実施の形態１と同じである。
【０１１５】
タイマ９１は、カウンタを用いて予め設定された所定時間（例えば１０秒）をカウントし、所定時間経過後、制御部７に割り込み信号を出力する。制御部７は、タイマ９１からの割り込み信号を受けると、送信部５を通じて換気扇２に動作停止命令を送信する。
【０１１６】
図１０は、本実施の形態における選択モードにおける処理を示すフローチャートである。選択モードが選択されると、まず、記憶部１０に記憶されている外部の機器の全てに共通する動作停止命令を送信する（Ｓ１００１）。好ましくは、動作停止命令は記憶部１０に記憶されている全ての外部の機器に対して動作停止を命じる信号である。本実施の形態では、外部の機器として換気扇２が設置されているので、換気扇２は、動作停止命令を受信し、ファン１２が動いていれば、その回転駆動を停止する。選択モードにおいて、ユーザがいかなるスイッチを押しても、制御部７は加熱部６に加熱開始命令を絶対に送らない。
【０１１７】
次に、左バーナの右矢印スイッチが押されたか否かを調べ（Ｓ６０２）、押されていれば全フォーマットＡ〜Ｐの中から１つのフォーマットを選択する処理を行う（Ｓ１００３）。押されていなければＳ６０４に進む。ユーザが左バーナの右矢印スイッチを押す度に、Ｓ１００３において１６種類の送信データフォーマットＡ〜Ｐが順次、循環的に選択される。ユーザが左バーナの右矢印スイッチを押す度に、送信部５は選択されたフォーマットで所定の機器に動作開始命令を送信する。タイマ９１を起動する。タイマ９１が予め設定された所定時間（例えば１０秒）をカウントすると（所定時間経過後）、送信部５は選択されたフォーマットで所定の機器に動作停止命令を送信する。例えば、送信部５は換気扇を所定時間動作させる。ユーザは換気扇が回転するか否かを見て、選択されたフォーマットが換気扇が受信可能なフォーマットか否かを判断できる。
【０１１８】
次に、左バーナの「分」スイッチが押されたか否かを調べ（Ｓ６０４）、押されていればＸ社の換気扇及び／又は照明器具に対する送信データフォーマットＡ〜Ｄの中から１つのフォーマットを選択する処理を行う（Ｓ１００５）。押されていなければＳ６０６に進む。ユーザが左バーナの「分」スイッチを押す度に、Ｓ１００５において４種類の送信データフォーマットＡ〜Ｄが順次、循環的に選択される。ユーザが左バーナの「分」スイッチを押す度に、送信部５は選択フォーマットでＸ社の換気扇及び照明器具に上記と同様の方法で所定時間の動作命令を送信する。ユーザは換気扇が回転するか否か又は照明器具が点灯するか否かを見て、選択されたフォーマットが換気扇及び照明器具が受信可能なフォーマットか否かと、制御信号の対象が換気扇及び照明器具か否かと、を判断できる。
【０１１９】
次に、ロースタ又はラジェントの「分」スイッチが押されたか否かを調べ（Ｓ６０６）、押されていればＹ社の換気扇及び／又は照明器具に対する送信データフォーマットＥ〜Ｈの中から１つのフォーマットを選択する処理を行う（Ｓ１００７）。押されていなければＳ６０８に進む。ユーザがロースタ又はラジェントの「分」スイッチを押す度に、Ｓ１００７において４種類の送信データフォーマットＥ〜Ｈが順次、循環的に選択される。ユーザがロースタ又はラジェントの「分」スイッチを押す度に、送信部５は選択フォーマットでＹ社の換気扇及び照明器具に上記と同様の方法で所定時間の動作命令を送信する。ユーザは、選択されたフォーマット及び制御対象の機器が適切か否かを判断できる。
【０１２０】
次に、ロースタ又はラジェントの左矢印スイッチが押されたか否かを調べ（Ｓ６０８）、押されていればＹ社のエアコンに対する送信データフォーマットＩ〜Ｌの中から１つのフォーマットを選択する処理を行う（Ｓ１００９）。押されていなければＳ６１０に進む。ユーザがロースタ又はラジェントの左矢印スイッチを押す度に、Ｓ１００９において４種類の送信データフォーマットＩ〜Ｌが順次、循環的に選択される。ユーザがロースタ又はラジェントの左矢印スイッチを押す度に、送信部５は選択フォーマットでＹ社のエアコンに上記と同様の方法で所定時間の動作命令を送信する。ユーザは、選択されたフォーマット及び制御対象の機器が適切か否かを判断できる。
【０１２１】
次に、右バーナの「分」スイッチが押されたか否かを調べ（Ｓ６１０）、押されていればＺ社の給湯器に対する送信データフォーマットＭ〜Ｐの中から１つのフォーマットを選択する処理を行う（Ｓ１０１１）。押されていなければＳ６１２へ進む。ユーザが右バーナの「分」スイッチを押す度に、Ｓ１０１１において４種類の送信データフォーマットＭ〜Ｐが順次、循環的に選択される。ユーザが右バーナの「分」スイッチを押す度に、送信部５は選択フォーマットでＺ社の給湯器に上記と同様の方法で所定時間の動作命令を送信する。ユーザは、選択されたフォーマット及び制御対象の機器が適切か否かを判断できる。
【０１２２】
次に、右バーナの右矢印スイッチが押されたか否かを調べ（Ｓ６１２）、押されていれば制御信号の内容を選択する処理を行う（Ｓ６１３）。押されていなければＳ６１４へ進む。ユーザが右バーナの右矢印スイッチを押す度に、Ｓ６１３において複数種類の制御信号（例えば図３のＡ−１〜Ａ−４）が順次、循環的に選択される。ユーザが右バーナの右矢印スイッチを押す度に、表示部１３は選択された制御信号の内容を表示する。実施の形態１においては、右バーナ操作部２２の表示部に制御信号の符号を表示する。ユーザは、表示を見て適切な制御信号を選択できる。
【０１２３】
次に、モード選択スイッチ２３が押されたか（モード選択命令の入力）どうかを調べ（Ｓ６１４）、押されていればＳ６１６へ進み、そうでなければＳ６０２に戻り、上記の処理を繰り返す。
Ｓ６１６において、選択フォーマット及び選択された制御信号を不揮発性メモリに記憶し、選択モードを終了する（調理モードに移る。）。
【０１２４】
上記の構成により換気扇２が加熱調理器１からの制御信号を受け付けたか否かをユーザが視認できる。その後、自動的に換気扇２の回転駆動を停止させる故、ユーザが機器を停止させる必要を無くし、より使いやすい加熱調理器及び連動システムを実現することが可能となる。
【０１２５】
また、所定時間は１０秒でなくとも、それより短くても長くても良い。ユーザが、加熱調理器１が換気扇２を認識したことを知るのに足りる時間であれば良い。
【０１２６】
《実施の形態５》
再び図９を用いて、実施の形態５の加熱調理器及びそれを含む連動システムを説明する。加熱調理器の構成は実施の形態４と同一であるので、説明は省く。
【０１２７】
タイマ９１は、カウンタを用いて予め設定された所定時間（例えば５分間）をカウントし、所定時間経過後、制御部７に割り込み信号を出力する。タイマ９１は、選択モード開始時に、カウンタをリセットし、カウントを開始する。また、選択モード中、何らかのスイッチ入力がある度にカウンタをリセットし、再度カウントを開始する。
制御部７は、タイマ９１からの割り込み信号を受けると、選択モードから調理モードに切り替える。その際、選択フォーマットの決定は成されていないので、不揮発性メモリには何も記憶しない。
【０１２８】
このような構成にすることで、選択モードを解除しなかった場合でも、自動的に調理モードとなり、ユーザが加熱調理器の使用上とまどうことがない、より使いやすい加熱調理連動システムを実現することが可能となる。
【０１２９】
《実施の形態６》
図１１を用いて、実施の形態５の加熱調理器及びそれを含む連動システムを説明する。図１１は、本実施の形態における、加熱調理器の構成の概略を示す図である。図１１において、加熱調理器１１０が報知部１１１を有する点において、実施の形態１の加熱調理器１とは異なる。それ以外の点においては、実施の形態１と同じである。
【０１３０】
報知部１１１は、調理モードにおいて、入力部１４のスイッチによる入力を受け付けた時、第１のスイッチ認識音を発する。
また、報知部１１１は、選択モードにおいて、入力部１４のスイッチによる入力を受けた時、第１のスイッチ認識音と識別可能な第２のスイッチ認識音を発する。及び／又は、選択モードにおいて、選択フォーマット毎に異なる認識音を発する。
【０１３１】
このことにより、ユーザは、モード及び選択フォーマットの切り替えが行われたことを容易に認識することができる。
【０１３２】
なお、第１のスイッチ認識音、及び、第２のスイッチ認識音、及び、選択フォーマット毎の異なる認識音は、単一の音に限らず、音声メッセージによるものでも良い。
【０１３３】
《実施の形態７》
図１２を用いて、実施の形態６の加熱調理器及びそれを含む連動システムを説明する。図１２は、本実施の形態における、換気扇の構成の概略を示す図である。図１２において、換気扇１２０が報知部１２１及び表示部１２２を有することにおいて、実施の形態１の換気扇２とは異なる。それ以外の点においては、実施の形態１と同じである。
【０１３４】
受信部１１は、加熱調理器の送信部５が送信した制御信号を受信する。受信部１１が制御信号を受信した場合、換気扇制御部１７は、制御信号の内容に応じて、ファン１２の回転駆動を開始、停止又は回転速度調節し、又は報知部１２１がブザー音を鳴らし、又は表示部１２２がＬＥＤを発光する。
【０１３５】
調理モードにおいて、ユーザが加熱調理器に、加熱部６の状態を変化させる命令を入力すると、送信部５は機器の通常の機能を動作させる命令を送信する。例えば機器が換気扇であれば、ファン１２の制御信号を送信する。例えば、ユーザが加熱命令入力部のスイッチ２０ｃ、２１ｃ、２１ｄ、２２ｃを押して加熱部６が加熱を開始する時、送信部５はファン１２が回転を開始する命令を送信する。ユーザが加熱命令入力部のスイッチ２０ｃ、２１ｃ、２１ｄ、２２ｃを押して加熱部６が加熱を停止する時、送信部５はファン１２が回転を停止する命令を送信する。
【０１３６】
選択モードにおいて、ユーザが送信データフォーマット又は機器の選択スイッチを押す度に（例えば図６のＳ６０３、Ｓ６０５、Ｓ６０７、Ｓ６０９、Ｓ６１１）、送信部５は報知部１２１に音を発するよう指令し及び／又は表示部１２２に発光するよう指令する（識別命令と呼ぶ。）。この場合、機器の通常の機能は動作しない。例えばファン１２は回転駆動しない。ユーザは、音及び／又は光で換気扇１３０が送信部５からの制御信号を受け付けたことを知ることができる。これにより、ファンの回転による消費電力を抑えることができ、かつ安全な加熱調理連動システムを実現することを可能とする。
【０１３７】
なお、報知部１２１は、ブザー音を発するとしたが、これに限らず、音声メッセージによるものでも良い。また、表示部１２２は、ＬＥＤを発光するとしたが、これに限らず、照明の点灯、表示の点灯や点滅によるものでも良く、液晶パネルによってメッセージを表示するようなものでも良い。
【０１３８】
《実施の形態８》
図１３を用いて、実施の形態７の加熱調理器及びそれを含む連動システムを説明する。図１３は、本実施の形態における加熱調理及びそれを含む連動システムの構成の概略を示す図である。図１３において、加熱調理器１３０が換気扇制御入力部１３１を有することにおいて、実施の形態１とは異なる。それ以外の点においては、実施の形態１と同じである。
【０１３９】
換気扇制御入力部１３１は、換気扇２の動作開始及び動作停止を制御する入力スイッチである。通常、このような加熱調理連動システムにおいて、換気扇２は、加熱調理器１の加熱部６の加熱状態と連動して制御されるため、換気扇２の動作を制御するための入力部を必要としない。しかしながら、ユーザの好みで換気扇２を加熱調理器１３０と連動させないで手動によってある程度制御できる方が良い。従って、換気扇制御入力部１３１は、最低限の動作のみ制御出来れば良く、例えば、「入／切」のスイッチのみといった最小限の入力スイッチを設置すれば良い。
【０１４０】
このような構成にすることで、換気扇２が加熱調理連動システム内で連動動作をしない設定にした場合にも、換気扇２を簡易的に制御することができ、より柔軟に使用できる加熱調理連動システムを実現することが可能となる。
【０１４１】
なお、換気扇制御入力部１３１は、「入／切」のスイッチのみを備えるとしたが、これに限らず、風量切り替え等の付加的な制御が可能なようにスイッチを増やしても良い。
【０１４２】
また、換気扇制御入力部１３１といった加熱制御しないスイッチを選択モードにおいて使用可能なスイッチとして割り当てても良く、これにより、ユーザが所望の設定を完了するまでに必要な時間を短縮するといった効果が得られる。
【０１４３】
また、換気扇制御入力部１３１としたが、換気扇の制御に限らず、照明器具、エアコンディショナ、給湯器といった他の外部機器の制御入力部でも良く、また複数の外部機器のいずれかを選択する機能を有しても良い。
【０１４４】
《実施の形態９》
図１４を用いて、実施の形態８の加熱調理器及びそれを含む連動システムを説明する。図１４は、本実施の形態における、加熱調理連動システムの構成の概略を示す図である。図１４において、加熱調理連動システムは、加熱調理器１と給湯器１４１とから構成される。給湯器１４１は、給湯器制御部１４２、給湯用加熱部１４３、受信部１４４、報知部１４５を有する。
【０１４５】
加熱調理器１は、調理モードにおいて、加熱部６の加熱強度に応じて、給湯器１４１に加熱開始命令及び加熱停止命令及び消費電力制御命令を送信する点において、実施の形態１と異なる。それ以外の点においては、実施の形態１と同一であるので説明を省く。
【０１４６】
加熱調理器１の制御部７は、給湯器１４１の消費電力が所定値（典型的には、加熱調理器１と給湯器１４１の消費電流の合計が２０Ａ以下である値）以下になるように、給湯器１４１を制御する。加熱調理器１と給湯器１４１とが１つのブレーカから商用交流電力を入力する場合、２つの機器の消費電流の合計がブレーカの定格を越えないようにする。
ユーザが加熱命令入力部のスイッチを押して加熱調理器１の加熱部６が加熱を開始すると、送信部５は、制御部７からの指令に応じて、給湯器１４１に消費電力低減命令又は加熱停止命令を送信する。受信部１４４は消費電力低減命令又は加熱停止命令を受信する。給湯用加熱部１４３は加熱を抑制し又は停止する。
ユーザが加熱命令入力部のスイッチを押して加熱調理器１の加熱部６が加熱を停止すると、送信部５は、制御部７からの指令に応じて、給湯器１４１に消費電力上昇命令又は加熱開始命令を送信する。受信部１４４は消費電力上昇命令又は加熱開始命令を受信する。給湯用加熱部１４３は加熱電力を上昇させ又は加熱を開始する。
選択モードにおいて、送信部５は給湯器１４１に音を発するよう指令しても良い（識別命令と呼ぶ。）。受信部１４４が識別命令を受信した場合、報知部１４４はブザー音を鳴らす。
【０１４７】
このような構成にすることで、加熱調理器側の加熱のために一時的に高い電力を必要とするとき、給湯器１４１に消費電力を抑制させることで、ブレーカが遮断することを防止する。
【０１４８】
上記の実施の形態に代えて、調理モードにおいて加熱状態であっても選択モードに遷移することを許可し、選択モードにおいては操作部のスイッチを押しても加熱状態が変化しないように構成しても良い。
【産業上の利用可能性】
【０１４９】
本発明は、例えば、システムキッチン等の周辺機器連動型の加熱調理システムに用いることが出来る。
【図面の簡単な説明】
【０１５０】
【図１】本発明の実施の形態１における加熱調理連動システムの構成の概略を示す図
【図２】本発明の実施の形態１における加熱調理器側の操作部の例を示す図
【図３】本発明の実施の形態１における送信データフォーマットの例を示す図
【図４】本発明の実施の形態１におけるモード選択方法を示すフローチャート
【図５】本発明の実施の形態１における調理モードにおける処理を示すフローチャート
【図６】本発明の実施の形態１における選択モードにおける処理を示すフローチャート
【図７】本発明の実施の形態２における選択モードにおける処理を示すフローチャート
【図８】本発明の実施の形態３における加熱調理器の操作部の例を示す図
【図９】本発明の実施の形態４及び５における加熱調理器の構成の概略を示す図
【図１０】本発明の実施の形態４における選択モードにおける処理を示すフローチャート
【図１１】本発明の実施の形態６における加熱調理器の構成の概略を示す図
【図１２】本発明の実施の形態７における換気扇の構成の概略を示す図
【図１３】本発明の実施の形態８における換気扇の構成の概略を示す図
【図１４】本発明の実施の形態９における給湯器の構成の概略を示す図
【図１５】従来例における、設定変更機能を示す図
【符号の説明】
【０１５１】
１、９０、１１０  加熱調理器
２、１２０、１３０  換気扇
３  被加熱体
４  トッププレート
５  送信部
６  加熱部
７  制御部
８  操作部
１０  記憶部
１１  換気扇側受信部
１２  ファン
１３  加熱調理器側表示部
１４  加熱調理器側入力部
１７  換気扇側制御部
２０  左バーナ操作部
２１  ロースタ又はラジェント操作部
２２  右バーナ操作部
２３  モード選択スイッチ
９１  タイマ
１１１  加熱調理器側報知部
１２１  換気扇側報知部
１２２  換気扇側表示部
１３１  換気扇側入力部
１４１  給湯器
１４２  給湯器側制御部
１４３  給湯器加熱部
１４４  給湯器側受信部
１４５  給湯器側報知部
【図１】
2005197185.tif 000003
【図２】
2005197185.tif 000004
【図３】
2005197185.tif 000005
【図４】
2005197185.tif 000006
【図５】
2005197185.tif 000007
【図６】
2005197185.tif 000008
【図７】
2005197185.tif 000009
【図８】
2005197185.tif 000010
【図９】
2005197185.tif 000011
【図１０】
2005197185.tif 000012
【図１１】
2005197185.tif 000013
【図１２】
2005197185.tif 000014
【図１３】
2005197185.tif 000015
【図１４】
2005197185.tif 000016
【図１５】
2005197185.tif 000017